(57)【要約】【課題】蓋体の閉じ位置にある状態を解除可能に維持すると共に、この閉じ位置において蓋体を本体に押し付けるように機能するロック機構の提供。【解決手段】待機位置において回動体５０１の回動軸５０１ａの前方側に引っ張りバネ体５０２の中心線ｘが位置され、かつ、ロック位置において回動軸５０１ａの後方側に引っ張りバネ体５０２の中心線ｘが位置されるようになっている。操作部分５１１の操作によってロック位置にある回動体５０１のキャッチ凹部５０１ｄからフック体５１０のフック端５１０ａが抜け出るようにこのフック体５１０が移動されるようになっており、このフック体５１０の移動によって閉じ位置にある一対の蓋体１、１が付勢手段３とリンク手段４とによって完全開き位置に移動されるようになっている。【選択図】図１
2006192122.tif 000002
【特許請求の範囲】
【請求項１】
蓋体の閉じ位置にある状態を解除可能に維持するロック機構であって、
蓋体は、閉じ位置から完全開き位置まで旋回移動するように本体に組み付けられていると共に、付勢手段によって常時完全開き位置に向けて移動するように付勢され、かつ、リンク手段によって蓋体と一緒に移動される部分を有しており、
ロック機構は、蓋体によって開口を閉塞される本体に備えられる受動パーツと、蓋体に備えられる能動パーツと、前記部分に形成される受動パーツの復帰用突き当たり部分とを備えており、
受動パーツは、本体に固定されるベースと、ベースに回動可能に組み付けられた回動体と、引っ張りバネ体とを備えており、
回動体は、キャッチ凹部を有していると共に、このキャッチ凹部の入り口を前方に向けた待機位置と前方に向けないロック位置との間で回動するようになっており、
引っ張りバネ体は、回動体の回動軸を挟んだ一方側でこの回動体にバネ一端を止着させ、かつ、この回動軸を挟んだ他方側でベースにバネ他端を止着させており、
前記待機位置において回動軸の前方側に引っ張りバネ体の中心線が位置され、かつ、前記ロック位置において回動軸の後方側に引っ張りバネ体の中心線が位置されるようになっており、
能動パーツは、フック体と、フック体の操作部分とを備えており、
フック体は、蓋体の閉じ位置への移動操作によって待機位置にある回動体のキャッチ凹部に入り込むフック端を備えており、このフック端の入り込みによって回動体がロック位置に移動され蓋体の閉じ位置にある状態が維持されるようになっており、
操作部分の操作によってロック位置にある回動体のキャッチ凹部からフック体のフック端が抜け出るようにこのフック体が移動されるようになっており、このフック体の移動によって閉じ位置にある蓋体が付勢手段によって完全開き位置に移動されるようになっており、
復帰用突き当たり部分は、この完全開き位置に向けた蓋体の移動によってロック位置にある回動体に後方から突き当たるようになっていることを特徴とするロック機構。
【請求項２】
一対の蓋体の閉じ位置にある状態を解除可能に維持するロック機構であって、
一対の蓋体は、閉じ位置から完全開き位置まで旋回移動するように本体に組み付けられていると共に、付勢手段によって常時完全開き位置に向けて移動するように付勢され、かつ、リンク手段によって一対の蓋体は開き方向にも閉じ方向にも一緒に移動されるようになっており、
ロック機構は、一対の蓋体によって開口を閉塞される本体に備えられる受動パーツと、一対の蓋体の一方に備えられる能動パーツと、一対の蓋体の一方側又は他方側に設けられた受動パーツの復帰用突き当たり部分とを備えており、
受動パーツは、本体に固定されるベースと、ベースに回動可能に組み付けられた回動体と、引っ張りバネ体とを備えており、
回動体は、キャッチ凹部を有していると共に、このキャッチ凹部の入り口を前方に向けた待機位置と前方に向けないロック位置との間で回動するようになっており、
引っ張りバネ体は、回動体の回動軸を挟んだ一方側でこの回動体にバネ一端を止着させ、かつ、この回動軸を挟んだ他方側でベースにバネ他端を止着させており、
前記待機位置において回動軸の前方側に引っ張りバネ体の中心線が位置され、かつ、前記ロック位置において回動軸の後方側に引っ張りバネ体の中心線が位置されるようになっており、
能動パーツは、フック体と、フック体の操作部分とを備えており、
フック体は、一対の蓋体の一方の閉じ位置への移動操作によって待機位置にある回動体のキャッチ凹部に入り込むフック端を備えており、このフック端の入り込みによって回動体がロック位置に移動され一方の蓋体の閉じ位置にある状態が維持されるようになっており、
操作部分の操作によってロック位置にある回動体のキャッチ凹部からフック体のフック端が抜け出るようにこのフック体が移動されるようになっており、このフック体の移動によって閉じ位置にある一対の蓋体が付勢手段とリンク手段とによって完全開き位置に移動されるようになっており、
復帰用突き当たり部分は、この完全開き位置に向けた一対の蓋体の移動によってロック位置にある回動体に後方から突き当たるようになっていることを特徴とするロック機構。
【請求項３】
一対の蓋体が完全開き位置にある状態において、待機位置にある回動体のロック位置に向けた回動を阻止するようにこの回動体の後方に位置される阻止部がリンク手段に形成してあることを特徴とする請求項２記載のロック機構。
【請求項４】
受動パーツのベースに、一対の蓋体の一方の閉じ位置への移動に伴ってフック体のフック端を案内する往路と、操作部分の操作によって回動体のキャッチ凹部からフック端を抜け出させたフック体のこのフック端を案内する復路とからなるカム溝が形成されていることを特徴とする請求項２又は請求項３に記載のロック機構。
【請求項５】
一対の蓋体の一方に備えられる補助フック体と、この補助フック体のフック端を常時掛合位置に位置づけさせるようにこの補助フック体を付勢する付勢手段とを有しており、
この補助フック体のフック端が、一対の蓋体の一方の閉じ位置への移動に伴って、本体に形成された被掛合部を前記付勢に抗して乗り越えた後この付勢によってこの被掛合部に掛合されるようになっていると共に、
操作部分の操作により、この補助フック体が前記付勢に抗して移動されるようになっており、
しかも、この操作部分の操作により移動される補助フック体によって、フック体が回動体のキャッチ凹部からフック端を抜け出させるように、押されるようになっていることを特徴とする請求項２〜請求項４のいずれか１項に記載のロック機構。
【発明の詳細な説明】
【技術分野】
【０００１】
この発明は、蓋体の閉じ位置にある状態を解除可能に維持するロック機構の改良に関する。
【背景技術】
【０００２】
食洗機の扉を閉鎖状態に保持する保持部材として、特許文献１に示されるものがある。かかる保持部材にあっては、操作部材を手前に引く操作をすると保持状態が解除され扉を開き方向に開放できるようになっている。
【０００３】
しかるに、かかる保持部材は、食洗機本体側に設けられた掛合部分に扉の閉鎖位置において単純に保持部材を引っかけてこの閉鎖状態を維持するにとどまるものであり、この保持部材自体はかかる閉鎖状態において扉を食洗機本体の開口に押し付けるようには作用するものではない。
【特許文献１】特開平５−１１５４０５号公報
【発明の開示】
【発明が解決しようとする課題】
【０００４】
この発明が解決しようとする主たる問題点は、蓋体の閉じ位置にある状態を解除可能に維持すると共に、この閉じ位置において蓋体を本体に押し付けるように機能するロック機構を提供する点にある。
【課題を解決するための手段】
【０００５】
前記問題点を解決するために、第一の発明にあっては、ロック機構を以下の（１）〜（１１）の構成を備えたものとした。
（１）蓋体の閉じ位置にある状態を解除可能に維持するロック機構であって、
（２）蓋体は、閉じ位置から完全開き位置まで旋回移動するように本体に組み付けられていると共に、付勢手段によって常時完全開き位置に向けて移動するように付勢され、かつ、リンク手段によって蓋体と一緒に移動される部分を有しており、
（３）ロック機構は、蓋体によって開口を閉塞される本体に備えられる受動パーツと、蓋体に備えられる能動パーツと、前記部分に形成される受動パーツの復帰用突き当たり部分とを備えており、
（４）受動パーツは、本体に固定されるベースと、ベースに回動可能に組み付けられた回動体と、引っ張りバネ体とを備えており、
（５）回動体は、キャッチ凹部を有していると共に、このキャッチ凹部の入り口を前方に向けた待機位置と前方に向けないロック位置との間で回動するようになっており、
（６）引っ張りバネ体は、回動体の回動軸を挟んだ一方側でこの回動体にバネ一端を止着させ、かつ、この回動軸を挟んだ他方側でベースにバネ他端を止着させており、
（７）前記待機位置において回動軸の前方側に引っ張りバネ体の中心線が位置され、かつ、前記ロック位置において回動軸の後方側に引っ張りバネ体の中心線が位置されるようになっており、
（８）能動パーツは、フック体と、フック体の操作部分とを備えており、
（９）フック体は、蓋体の閉じ位置への移動操作によって待機位置にある回動体のキャッチ凹部に入り込むフック端を備えており、このフック端の入り込みによって回動体がロック位置に移動され蓋体の閉じ位置にある状態が維持されるようになっており、
（１０）操作部分の操作によってロック位置にある回動体のキャッチ凹部からフック体のフック端が抜け出るようにこのフック体が移動されるようになっており、このフック体の移動によって閉じ位置にある蓋体が付勢手段によって完全開き位置に移動されるようになっており、
（１１）復帰用突き当たり部分は、この完全開き位置に向けた蓋体の移動によってロック位置にある回動体に後方から突き当たるようになっている。
【０００６】
回動体の待機位置においては引っ張りバネ体の中心線はこの回動体の回動軸の前方側に位置されることから、この回動体の待機位置にある状態は引っ張りバネ体によって安定的に維持される。回動体が引っ張りバネ体の中心線上に回動軸を位置させる中間回動位置を越えて後方に回動されると回動体は引っ張りバネ体の作用により待機位置には戻らなくなり、フック体を回動体に掛合させた蓋体は閉じ位置に引き込み移動される。回動体のロック位置においては引っ張りバネ体の中心線はこの回動体の回動軸の後方側に位置されることから、この回動体のロック位置にある状態も引っ張りバネ体によって安定的に維持される。すなわち、付勢手段の付勢により蓋体は完全開き位置に向けて移動するように常時付勢されているが、その閉じ位置においてはロック位置にある回動体によってこの完全開き位置に向けた移動を生じないように強固に保持され、開口に密着した状態でこの開口を閉塞する。蓋体を閉じ位置に位置づけた開口の閉塞状態は、操作部分の操作によってワンタッチで解除させることができ、この解除によって蓋体は付勢手段によって完全開き位置まで旋回移動される。
【０００７】
また、回動体のロック位置においては、回動軸の後方側に引っ張りバネ体の中心線が位置されるため、操作部分の操作によって回動体のキャッチ凹部からフック体のフック端が抜け出されただけでは回動体は待機位置には回動復帰されないが、この操作によって蓋体が完全開き位置に向けて移動されると回動体に復帰用突き当たり部分が突き当たるので、引っ張りバネ体の作用に抗して蓋体が完全開き位置に移動された場合には同時に回動体を待機位置に移動させることができる。これにより、再度蓋体を閉じ位置に向けて移動操作するときには、改めてフック体のフック端が回動体のキャッチ凹部に入り込むようにすることができる。
【０００８】
前記問題点を解決するために、第二の発明にあっては、ロック機構を以下の（１）〜（１１）の構成を備えたものとした。
（１）一対の蓋体の閉じ位置にある状態を解除可能に維持するロック機構であって、
（２）一対の蓋体は、閉じ位置から完全開き位置まで旋回移動するように本体に組み付けられていると共に、付勢手段によって常時完全開き位置に向けて移動するように付勢され、かつ、リンク手段によって一対の蓋体は開き方向にも閉じ方向にも一緒に移動されるようになっており、
（３）ロック機構は、一対の蓋体によって開口を閉塞される本体に備えられる受動パーツと、一対の蓋体の一方に備えられる能動パーツと、一対の蓋体の一方側又は他方側に設けられた受動パーツの復帰用突き当たり部分とを備えており、
（４）受動パーツは、本体に固定されるベースと、ベースに回動可能に組み付けられた回動体と、引っ張りバネ体とを備えており、
（５）回動体は、キャッチ凹部を有していると共に、このキャッチ凹部の入り口を前方に向けた待機位置と前方に向けないロック位置との間で回動するようになっており、
（６）引っ張りバネ体は、回動体の回動軸を挟んだ一方側でこの回動体にバネ一端を止着させ、かつ、この回動軸を挟んだ他方側でベースにバネ他端を止着させており、
（７）前記待機位置において回動軸の前方側に引っ張りバネ体の中心線が位置され、かつ、前記ロック位置において回動軸の後方側に引っ張りバネ体の中心線が位置されるようになっており、
（８）能動パーツは、フック体と、フック体の操作部分とを備えており、
（９）フック体は、一対の蓋体の一方の閉じ位置への移動操作によって待機位置にある回動体のキャッチ凹部に入り込むフック端を備えており、このフック端の入り込みによって回動体がロック位置に移動され一方の蓋体の閉じ位置にある状態が維持されるようになっており、
（１０）操作部分の操作によってロック位置にある回動体のキャッチ凹部からフック体のフック端が抜け出るようにこのフック体が移動されるようになっており、このフック体の移動によって閉じ位置にある一対の蓋体が付勢手段とリンク手段とによって完全開き位置に移動されるようになっており、
（１１）復帰用突き当たり部分は、この完全開き位置に向けた一対の蓋体の移動によってロック位置にある回動体に後方から突き当たるようになっている。
【０００９】
回動体の待機位置においては引っ張りバネ体の中心線はこの回動体の回動軸の前方側に位置されることから、この回動体の待機位置にある状態は引っ張りバネ体によって安定的に維持される。回動体が引っ張りバネ体の中心線上に回動軸を位置させる中間回動位置を越えて後方に回動されると回動体は引っ張りバネ体の作用により待機位置には戻らなくなり、フック体を回動体に掛合させた一方の蓋体は閉じ位置に引き込み移動され、それと共に、他方の蓋体も閉じ位置に引き込み移動される。回動体のロック位置においては引っ張りバネ体の中心線はこの回動体の回動軸の後方側に位置されることから、この回動体のロック位置にある状態も引っ張りバネ体によって安定的に維持される。すなわち、付勢手段の付勢により一対の蓋体は完全開き位置に向けて移動するように常時付勢されているが、その閉じ位置においてはロック位置にある回動体によってこの完全開き位置に向けた移動を生じないように強固に保持され、開口に密着した状態でこの開口を閉塞する。一対の蓋体を閉じ位置に位置づけた開口の閉塞状態は、操作部分の操作によってワンタッチで解除させることができ、この解除によって一対の蓋体は付勢手段によって完全開き位置まで旋回移動される。
【００１０】
また、回動体のロック位置においては、回動軸の後方側に引っ張りバネ体の中心線が位置されるため、操作部分の操作によって回動体のキャッチ凹部からフック体のフック端が抜け出されただけでは回動体は待機位置には回動復帰されないが、この操作によって蓋体が完全開き位置に向けて移動されると回動体に復帰用突き当たり部分が突き当たるので、引っ張りバネ体の作用に抗して蓋体が完全開き位置に移動された場合には同時に回動体を待機位置に移動させることができる。これにより、再度蓋体を閉じ位置に向けて移動操作するときには、改めてフック体のフック端が回動体のキャッチ凹部に入り込むようにすることができる。
【００１１】
前記一対の蓋体が完全開き位置にある状態において、待機位置にある回動体のロック位置に向けた回動を阻止するようにこの回動体の後方に位置される阻止部をリンク手段に形成しておくこともある。
【００１２】
このようにした場合、待機位置にある回動体に誤って触れるなどしても回動体がロック位置に向けて回動されないようにすることができ、完全開き位置にある蓋体を閉じ位置に向けて移動操作するときにはフック体のフック端が回動体のキャッチ凹部に常に入り込むようにしておくことができる。
【００１３】
前記受動パーツのベースに、一対の蓋体の一方の閉じ位置への移動に伴ってフック体のフック端を案内する往路と、操作部分の操作によって回動体のキャッチ凹部からフック端を抜け出させたフック体のこのフック端を案内する復路とからなるカム溝を形成させておくこともある。
【００１４】
このようにした場合、操作部分の操作によって回動体のキャッチ凹部からフック体のフック端が抜け出されたときは、このフック端をカム溝の復路に導き入れることができ、この状態になると付勢手段の付勢により直ちに一対の蓋体は完全開き位置に向けて旋回移動を開始するので、そこで操作部分の操作を止めてもフック体のフック端が再び回動体のキャッチ凹部に入り込むことがないようにすることができる。
【００１５】
前記一対の蓋体の一方に備えられる補助フック体と、この補助フック体のフック端を常時掛合位置に位置づけさせるようにこの補助フック体を付勢する付勢手段とを有しており、
この補助フック体のフック端が、一対の蓋体の一方の閉じ位置への移動に伴って、本体に形成された被掛合部を前記付勢に抗して乗り越えた後この付勢によってこの被掛合部に掛合されるようになっていると共に、
操作部分の操作により、この補助フック体が前記付勢に抗して移動されるようになっており、
しかも、この操作部分の操作により移動される補助フック体によって、フック体が回動体のキャッチ凹部からフック端を抜け出させるように、押されるようにしておくこともある。
【００１６】
このようにした場合、補助フック体のフック端を本体の被掛合部に掛合させることにより、蓋体の閉じ位置にある状態をより安定的に維持させることができる。それと共に、操作部分の操作によりこの補助フック体の掛合とフック体の掛合とを同時に解いて蓋体を完全開き位置に向けて旋回移動させることができる。
【発明の効果】
【００１７】
この発明にかかるロック機構によれば、付勢手段の付勢により完全開き位置に向けて移動するように常時付勢されている蓋体を、その閉じ位置においてはロック位置にある回動体によってこの完全開き位置に向けた移動を生じないように強固に保持して本体の開口に密着させることができる。
【発明を実施するための最良の形態】
【００１８】
以下、図１ないし図２１に基づいて、この発明を実施するための最良の形態について説明する。
【００１９】
なお、ここで図１、図３、図５、図７、図９、図１１、図１３、図１５は、実施の形態にかかるロック機構５によって閉じ位置にある状態を維持される一対の蓋体１、１によって塞がれる開口２０を各図の左側に備えた本体２をこの開口２０に隣り合う右側の側部２１側から見て示しており、図示はしないがロック機構５は本体２の左側の側部２１にもう同様に設けられている。また、図１では一対の蓋体１、１が完全開き位置にあり、図９では閉じ位置にある。図１、図３、図５、図７、図９の順で完全開き位置にある蓋体１が閉じ位置に移動し、図９、図１１、図１３、図１５、図１の順で閉じ位置にある蓋体１が完全開き位置に移動する。また、図２は図１の、図４は図３の、図６は図５の、図８は図７の、図１０は図９の、図１２は図１１の、図１４は図１３の、図１６は図１５のそれぞれ要部を示している。
【００２０】
また、図１７は、ロック機構５を構成する受動パーツ５０の回動体５０１と引っ張りバネ体５０２とベース５００とを分離して示しており、また、図１８は、回動体５０１を、図１９はベース５００を、それぞれ側方から見て示している。
【００２１】
また、図２０は、ロック機構５を構成する能動パーツ５１の配置を理解しやすいように閉じ位置にある下蓋体１０の前面側からこの下蓋体１０を想像線で表してかかる能動パーツ５１を見ており、また、図２１は、かかる能動パーツ５１におけるフック体５１０を表している。
【００２２】
この実施の形態にかかるロック機構５は、蓋体１、特に一対の蓋体１、１の閉じ位置にある状態を解除可能に維持するものである。
【００２３】
（蓋体１）
かかる一対の蓋体１、１は、閉じ位置から完全開き位置まで旋回移動するように本体２に組み付けられたものとなっている。
【００２４】
図示の例では、かかる一対の蓋体１、１は、本体２の一側部に形成された開口２０を、開放可能に塞ぐように、この本体２に取り付けられたものとなっている。図示の例では、この開口２０の下半分を下蓋体１０によって塞ぎ、この開口２０の上半分を上蓋体１１によって塞ぐようになっている。いずれの蓋体１も閉じ位置において蓋体１の一面（以下、内面という。）を本体２の開口２０の縁部２０１に押し付けてこの開口２０を塞ぐように構成されている。また、閉じ位置においては、下蓋体１０の上端部と上蓋体１１の下端部とが開口２０の上下方向略中程の位置において突き合わされるようになっている。
【００２５】
下蓋体１０は、その下端部側において回動軸２２によって本体２に回動可能に組み付けられている。下蓋体１０は、この回動軸２２を中心として、略鉛直に起立した閉じ位置と略水平に伏倒した完全開き位置との間での旋回移動をなすようになっている。
【００２６】
一方、上蓋体１１は、本体２の上部に回動可能に組み付けられた支持部材２３に支持されながら、略鉛直に垂下した閉じ位置と略水平に持ち上げられた完全開き位置との間での旋回移動をなすようになっている。支持部材２３は本体２に回動軸２３０をもって回動可能に組み付けられていると共に、この回動軸２３０よりも前方となる位置に、摺接部２３１を有しており、上蓋体１１の内面側に形成されたこの上蓋体１１の上下方向に亘るように形成されたレール部１１０にこの摺接部２３１を走行可能に入れ込ませてこの上蓋体１１を支持している。上蓋体１１の閉じ位置においては支持部材２３の摺接部２３１は上蓋体１１の上端部側に位置され、（図９）上蓋体１１の完全開き位置においては支持部材２３の摺接部２３１は上蓋体１１の下端部側に位置される。（図１）この支持部材２３によって上蓋体１１はかかる完全開き位置において本体２の上面にその内面を向き合わせて本体２の上方に位置づけられるようになっている。（図１）
【００２７】
また、かかる一対の蓋体１、１は、付勢手段３によって常時完全開き位置に向けて移動するように付勢され、かつ、リンク手段４によって一対の蓋体１、１は開き方向にも閉じ方向にも一緒に移動されるようになっている。
【００２８】
図示の例では、かかるリンク手段４は、
（１）下端４００を下蓋体１０に回動可能に組み付けた第一リンクアーム４０と、
（２）一端４１０を本体２に対し回動可能に組み付け、かつ、他端４１１を上蓋体１１に回動可能に組み付けると共に、両端４１０、４１１間において第一リンクアーム４０の上端４０１に回動可能に組み付けられた第二リンクアーム４１とから構成されている。
【００２９】
また、図示の例では、かかる付勢手段３は、第一リンクアーム４０の上端４０１と下端４００との間にバネ上端３００を止め付け、かつ、本体２側にバネ下端３０１を止め付けた引っ張りコイルバネ３０により構成されている。
【００３０】
より具体的には、図示の例にあっては、上蓋体１１の下端部にこの上蓋体１１の内面からこの内面に略直交する向きに突き出すレバー部１１１が形成されており、このレバー部１１１の突き出し端に第二リンクアーム４１の他端４１１が回動可能に接合されている。そして、閉じ位置においては、第二リンクアーム４１の他端４１１の略直上に第二リンクアーム４１の一端４１０が位置され、この第二リンクアーム４１の一端４１０よりもやや上方であってその後方に第一リンクアーム４０の上端４０１が位置され、かつ、この閉じ位置において引っ張りコイルバネ３０が最も引き延ばされるようになっている。
【００３１】
一対の蓋体１、１の閉じ位置にある状態は、ロック機構５によって維持されるが、後述するフック体５１０の操作部分５１１を操作してロック位置にある回動体５０１のキャッチ凹部５０１ｄからフック体５１０のフック端５１０ａを抜け出させると、引っ張りコイルバネ３０の弾性復帰によって第一リンクアーム４０が下方に移動され、これに伴って第二リンクアーム４１はこの第二リンクアーム４１の他端４１１を前方に突き出させ、さらには上方に突き出させる位置まで回動される。これにより、上蓋体１１および下蓋体１０は完全開き位置まで一緒に旋回される。（図９から図１１、図１３、図１５を経由して図１）
【００３２】
一対の蓋体１、１が完全開き位置にある状態から下蓋体１０を閉じ位置に向けて起立させるように押し込み操作すると、引っ張りコイルバネ３０を再び引き延ばしながら第一リンクアーム４０が上方に移動され、これに伴って第二リンクアーム４１はこの第二リンクアーム４１の他端４１１を下方に移動させるように回動され、さらにはこの他端４１１を本体２の開口２０よりも内方に引き込ませた位置まで回動される。これにより、上蓋体１１および下蓋体１０は閉じ位置まで一緒に旋回される。（図１から図３、図５、図７を経由して図９）
【００３３】
図示の例にあっては、本体２の開口２０に隣り合う両側部２１、２１にそれぞれ、かかる付勢手段３とリンク手段４と後述するロック機構５とが備えられるようになっている。
【００３４】
（ロック機構５）
ロック機構５は、一対の蓋体１、１によって開口２０を閉塞される本体２に備えられる受動パーツ５０と、一対の蓋体１、１の一方に備えられる能動パーツ５１と、一対の蓋体１、１の一方側又は他方側に設けられた受動パーツ５０の復帰用突き当たり部分５２とを備えている。
【００３５】
図示の例にあっては、能動パーツ５１は下蓋体１０に備えられている。また、復帰用突き当たり部分５２は上蓋体１１に備えられている。
【００３６】
（ロック機構５／受動パーツ５０）
受動パーツ５０は、本体２に固定されるベース５００と、ベース５００に回動可能に組み付けられた回動体５０１と、引っ張りバネ体５０２とを備えている。
【００３７】
図示の例では、ベース５００は、基板５００ａと、この基板５００ａの奥側の下隅部にこの基板５００ａとの間に回動体５０１の厚さ寸法分の間隔を開けるようにして重ね合わせ状に設けられた補助板５００ｂとを備えている。このベース５００の前側の上隅部には、後述するカム溝５００ｃが形成されている。また、基板５００ａの中央部には、長穴状をなす貫通孔５００ｉが形成されており、後述する回動体５０１の回動軸５０１ａとなる軸突部５０１ｂをこの貫通孔５００ｉの穴下端において回動可能に保持するようになっている。また、この貫通孔５００ｉの後方には、基板５００ａと補助板５００ｂとの双方において、後述する回動体５０１に形成された規制軸５０１ｃの移動軌跡に沿った長穴状をなす湾曲孔５００ｊが形成されており、回動体５０１はこの湾曲孔５００ｊの孔上端に規制軸５０１ｃを突き当てさせる位置（待機位置／図１、図２）とこの湾曲孔５００ｊの孔下端に規制軸５０１ｃを突き当てさせる位置（ロック位置／図９、図１０）との間で回動されるようになっている。
【００３８】
回動体５０１は、キャッチ凹部５０１ｄを有していると共に、このキャッチ凹部５０１ｄの入り口５０１ｅを前方に向けた待機位置と前方に向けないロック位置との間で回動するようになっている。
【００３９】
図示の例では、かかる回動体５０１は、短辺と長辺とを備えた略同寸同形の二枚の板体５０１ｆ、５０１ｆをその内面間に間隔を開けて重ね合わせ状に組み付け合わせるようにして構成されている。キャッチ凹部５０１ｄは、この回動体５０１の一方の短辺において外方に開放されそこを入り口５０１ｅとしている。また、この回動体５０１の一方の短辺側であってキャッチ凹部５０１ｄの入り口５０１ｅの後方には後方に突き出す被突き当たり部５０１ｇが形成されている。
【００４０】
また、回動体５０１の他方の短辺側には、二枚の板体５０１ｆ、５０１ｆのそれぞれにおいてその外面から突き出す軸突部５０１ｂが形成されている。また、この回動体５０１の他方の短辺側であって軸突部５０１ｂの後方には、二枚の板体５０１ｆ、５０１ｆのそれぞれにおいてその外面から突き出す規制軸５０１ｃが設けられている。
【００４１】
引っ張りバネ体５０２は、かかる回動体５０１の回動軸５０１ａを挟んだ一方側でこの回動体５０１にバネ一端を止着させ、かつ、この回動軸５０１ａを挟んだ他方側でベース５００にバネ他端を止着させている。
【００４２】
図示の例では、引っ張りバネ体５０２を引っ張りコイルバネ５０２ａによって構成させている。また、図示の例では、回動体５０１のキャッチ凹部５０１ｄの奥部の後方で被突き当たり部５０１ｇの下方に、二枚の板体５０１ｆ、５０１ｆ間に亘る引っ張りコイルバネ５０２ａのバネ一端の止着軸５０１ｈが設けられていると共に、ベース５００の湾曲孔５００ｊの下方に、基板５００ａと補助板５００ｂ間に亘る引っ張りコイルバネ５０２ａのバネ他端の止着軸５００ｋが設けられており、引っ張りコイルバネ５０２ａは回動体５０１を構成する二枚の板体５０１ｆ、５０１ｆ間に納められるようにしてこの回動体５０１とベース５００との間に張り込まれるようになっている。
【００４３】
そして、回動体５０１の前記待機位置において回動軸５０１ａの前方側に引っ張りバネ体５０２の中心線ｘが位置され、（図１、図２）かつ、前記ロック位置において回動軸５０１ａの後方側に引っ張りバネ体５０２の中心線ｘが位置されるようになっている。（図９、図１０）
【００４４】
（ロック機構５／能動パーツ５１）
能動パーツ５１は、フック体５１０と、フック体５１０の操作部分５１１とを備えている。
【００４５】
フック体５１０は、一対の蓋体１、１の一方、図示の例では下蓋体１０の閉じ位置への移動操作によって待機位置にある回動体５０１のキャッチ凹部５０１ｄに入り込むフック端５１０ａを備えている。
【００４６】
図示の例では、かかるフック体５１０は、下蓋体１０に内蔵されるこの下蓋体１０の左右方向に長い軸部５１０ｂと、この軸部５１０ｂの外端部（下蓋体１０の上下方向に沿った縁部側に位置される端部）からこの軸部５１０ｂに直交する向きに突き出すフックアーム５１０ｃとを備えている。フックアーム５１０ｃは下蓋体１０の内面側から後方に突き出されている。このフックアーム５１０ｃの先端、つまり、フック端５１０ａには軸部５１０ｂの内端側に突き出す第一フック部５１０ｄと、この第一フック部５１０ｄと反対の方向に突き出す第二フック部５１０ｅとが形成されており、回動体５０１のキャッチ凹部５０１ｄには第二フック部５１０ｅが入り込むようになっている。
【００４７】
そして、この回動体５０１のキャッチ凹部５０１ｄへのフック端５１０ａの入り込みによって回動体５０１がロック位置に移動され一方の蓋体１、図示の例では下蓋体１０の閉じ位置にある状態が維持されるようになっている。下蓋体１０が閉じ位置に位置づけられるとリンク手段４によって上蓋体１１も閉じ位置に位置づけられることとなる。
【００４８】
すなわち、図示の例では、下蓋体１０を閉じ位置に向けて移動させるときのフック体５１０のフック端５１０ａの移動軌跡上に、待機位置にある回動体５０１のキャッチ凹部５０１ｄの入り口５０１ｅが位置されるようになっている。そして、フック体５１０のフック端５１０ａがキャッチ凹部５０１ｄに入り込むとこのフック端５１０ａに押されて回動体５０１がロック位置に向けて回動されるようになっている。回動体５０１の待機位置において引っ張りバネ体５０２の中心線ｘはこの回動体５０１の回動軸５０１ａの前方側に位置されることから、この回動体５０１の待機位置にある状態は引っ張りバネ体５０２によって安定的に維持される。回動体５０１が引っ張りバネ体５０２の中心線ｘ上に回動軸５０１ａの軸中心を位置させる中間回動位置を越えて後方に回動されると回動体５０１は引っ張りバネ体５０２の作用により待機位置には戻らなくなり、フック体５１０を回動体５０１に掛合させた下蓋体１０は閉じ位置に引き込み移動され、それと共に、上蓋体１１も閉じ位置に引き込み移動される。回動体５０１のロック位置においては引っ張りバネ体５０２の中心線ｘはこの回動体５０１の回動軸５０１ａの後方側に位置されることから、この回動体５０１のロック位置にある状態も引っ張りバネ体５０２によって安定的に維持される。すなわち、付勢手段3の付勢により一対の蓋体１、１は完全開き位置に向けて移動するように常時付勢されているが、その閉じ位置においてはロック位置にある回動体５０１によってこの完全開き位置に向けた移動を生じないように強固に保持され、開口２０に密着した状態でこの開口２０を閉塞する。
【００４９】
そして、操作部分５１１の操作によってロック位置にある回動体５０１のキャッチ凹部５０１ｄからフック体５１０のフック端５１０ａが抜け出るようにこのフック体５１０が移動されるようになっており、このフック体５１０の移動によって閉じ位置にある一対の蓋体１、１が付勢手段3とリンク手段４とによって完全開き位置に移動されるようになっている。
【００５０】
図示の例では、フック体５１０は、付勢手段５１０ｆ、ここでは引っ張りコイルバネによって常時そのフック端５１０ａを、完全開き位置から閉じ位置に向けて下蓋体１０を移動させるときに待機位置にある回動体５０１のキャッチ凹部５０１ｄに入り込ませる位置に位置づけるように、付勢（図示の例では下方に向けて）されている。それと共に、図示の例では、下蓋体１０の外面に押し込み部５１１ａを露出させた操作部分５１１が下蓋体１０に内蔵されており、下蓋体１０が閉じ位置にあるとき、この押し込み部５１１ａを押し込むと、後述する補助フック体５１２が上方に回動されると共に、この補助フック体５１２に押されて前記付勢に抗してフック体５１０が回動され、そのフック端５１０ａをロック位置にある回動体５０１のキャッチ凹部５０１ｄから上方に抜け出させるようになっている。
【００５１】
すなわち、一対の蓋体１、１を閉じ位置に位置づけた開口２０の閉塞状態は、操作部分５１１の操作によってワンタッチで解除させることができ、この解除によって一対の蓋体１、１は付勢手段３によって完全開き位置まで旋回移動される。
【００５２】
（復帰用突き当たり部分５２）
復帰用突き当たり部分５２は、かかる完全開き位置に向けた一対の蓋体１、１の移動によってロック位置にある回動体５０１に後方から突き当たるようになっている。
【００５３】
図示の例では、上蓋体１１のレバー部１１１の突き出し端側の下部に、一対の蓋体１、１の閉じ位置においてロック位置にある回動体５０１の被突き当たり部５０１ｇの後方に位置される突出部５２０が形成されており、操作部分５１１の操作によって上蓋体１１が完全開き位置に向けて移動されるとこの移動の過程においてこの突出部５２０が被突き当たり部５０１ｇに後方から突き当てられるようになっている。すなわち、図示の例にあっては、かかる突出部５２０が復帰用突き当たり部分５２として機能するようになっている。この突き当たりにより回動体５０１が待機位置まで回動されると被突き当たり部５０１ｇは復帰用突き当たり部分５２の移動軌跡の下方に外れるようになっており、上蓋体１１の完全開き位置に向けた移動は回動体５０１によって妨げられない。
【００５４】
回動体５０１のロック位置においては、回動軸の後方側に引っ張りバネ体５０２の中心線ｘが位置されるため、操作部分５１１の操作によって回動体５０１のキャッチ凹部５０１ｄからフック体５１０のフック端５１０ａが抜け出されただけでは回動体５０１は待機位置には回動復帰されないが、この操作によって蓋体１が完全開き位置に向けて移動されると回動体５０１に復帰用突き当たり部分５２が突き当たるので、引っ張りバネ体５０２の作用に抗して蓋体１が完全開き位置に移動された場合には同時に回動体５０１を待機位置に移動させることができる。これにより、再度蓋体１を閉じ位置に向けて移動操作するときには、改めてフック体５１０のフック端５１０ａが回動体５０１のキャッチ凹部５０１ｄに入り込むようにすることができる。
【００５５】
（阻止部412）
また、この実施の形態にあっては、一対の蓋体１、１が完全開き位置にある状態において、待機位置にある回動体５０１のロック位置に向けた回動を阻止するようにこの回動体５０１の後方に位置される阻止部４１２がリンク手段４に形成してある。
【００５６】
図示の例にあっては、一対の蓋体１、１が完全開き位置にある状態における第二リンクアーム４１の最下方に位置される箇所に、張り出し部４１３が形成されており、この張り出し部４１３が待機位置にある回動体５０１の被突き当たり部５０１ｇの後方に位置されるようになっている。（図１、図２）
【００５７】
図示の例では、本体２の開口２０に隣り合う両側部２１、２１の外面側にそれぞれ受動パーツ５０が備えられていると共に、下蓋体１０の左右両側にそれぞれ能動パーツ５１を構成するフック体５１０が備えられている。そして、下蓋体１０の左右両側部からそれぞれフックアーム５１０ｃが突き出されており、本体２の右側部に備えられた受動パーツ５０に右側のフックアーム５１０ｃが掛合され、かつ、本体２の左側部に備えられた受動パーツ５０に左側のフックアーム５１０ｃが掛合されるようになっている。
【００５８】
かかる構成によれば、待機位置にある回動体５０１に誤って触れるなどしても回動体５０１がロック位置に向けて回動されないようにすることができ、完全開き位置にある蓋体１を閉じ位置に向けて移動操作するときにはフック体５１０のフック端５１０ａが回動体５０１のキャッチ凹部５０１ｄに常に入り込むようにしておくことができる。
【００５９】
（カム溝５００ｃ）
また、この実施の形態にあっては、受動パーツ５０のベース５００に、一対の蓋体１、１の一方の閉じ位置への移動に伴ってフック体５１０のフック端５１０ａを案内する往路５００ｄと、操作部分５１１の操作によって回動体５０１のキャッチ凹部５０１ｄからフック端５１０ａを抜け出させたフック体５１０のこのフック端５１０ａを案内する復路５００ｆとからなるカム溝５００ｃが形成されている。
【００６０】
図示の例では、カム溝５００ｃはベース５００の基板５００ａにおける回動体５０１の組み付け側の面部に形成されている。また、往路５００ｄの上方に復路５００ｆが形成されていると共に、往路５００ｄも復路５００ｆもベース５００の前方に向けられた縁部において開放されてそこから後方に向けて延びるように形成されている。そして図示の例にあっては、下蓋体１０の閉じ位置に向けた移動に伴ってフック体５１０の第一フック部５１０ｄがこのカム溝５００ｃの往路５００ｄに入り込み回動体５０１がロック位置に位置づけられた状態においてこの往路５００ｄの終端５００ｅに位置されるようになっている。（図９、図１０）それと共に、操作部分５１１の操作によってロック位置にある回動体５０１のキャッチ凹部５０１ｄからフック体５１０の第二フック部５１０ｅが抜け出すようにフック体５１０が上方に向けて回動されると、第一フック部５１０ｄがカム溝５００ｃの復路５００ｆの始端５００ｇに入り込むようになっている。
【００６１】
かかる構成によれば、操作部分５１１の操作によって回動体５０１のキャッチ凹部５０１ｄからフック体５１０のフック端５１０ａが抜け出されたときは、このフック端５１０ａをカム溝５００ｃの復路５００ｆに導き入れることができ、この状態になると付勢手段３の付勢により直ちに一対の蓋体１、１は完全開き位置に向けて旋回移動を開始するので、そこで操作部分５１１の操作を止めてもフック体５１０のフック端５１０ａが再び回動体５０１のキャッチ凹部５０１ｄに入り込むことがないようにすることができる。
【００６２】
第二フック部５１０ｅを回動体５０１のキャッチ凹部５０１ｄから抜け出させて復路５００ｆに第一フック部５１０ｄを入れ込ませたフック体５１０のこの第一フック部５１０ｄは下蓋体１０の完全開き位置に向けた旋回移動に伴って復路５００ｆ内を移動してその終端５００ｈから前方に抜け出る。
【００６３】
（補助フック体５１２）
また、この実施の形態にあっては、一対の蓋体１、１の一方に備えられる補助フック体５１２と、この補助フック体５１２のフック端５１２ａを常時掛合位置に位置づけさせるようにこの補助フック体５１２を付勢する付勢手段５１２ｆとを有している。
【００６４】
図示の例にあっては、かかる補助フック体５１２は、下蓋体１０の左右両側においてそれぞれ、下蓋体１０が閉じ位置にある状態においてフック体５１０の下方に位置されるように設けられている。かかる補助フック体５１２は、下蓋体１０に内蔵されるこの下蓋体１０の左右方向に長い軸部５１２ｂと、この軸部５１２ｂの外端部からこの軸部５１２ｂに直交する向きに突き出すフックアーム５１２ｃとを備えている。フックアーム５１２ｃは下蓋体１０の内面側から後方に突き出されている。このフックアーム５１２ｃの先端、つまり、フック端５１２ａには下方に向けて突き出す爪５１２ｄが形成されている。またこのフックアーム５１２ｃの中間部には上方に向けて突き出す押し上げ突部５１２ｅが形成されている。
【００６５】
また、図示の例では、補助フック体５１２は、付勢手段５１２ｆ、ここでは引っ張りコイルバネによって常時そのフック端５１２ａを、後述する被掛合部２４に掛合し得る掛合位置に位置づけるように、付勢（図示の例では下方に向けて）されている。そして、この補助フック体５１２のフック端５１２ａが、一対の蓋体１、１の一方、ここでは下蓋体１０の閉じ位置への移動に伴って、本体２に形成された被掛合部２４を前記付勢に抗して乗り越えた後この付勢によってこの被掛合部２４に掛合されるようになっている。
【００６６】
それと共に、図示の例では、下蓋体１０が閉じ位置にあるとき、操作部分５１１の押し込み部５１１ａを押し込むと、この補助フック体５１２の軸部５１２ｂの内端部に形成された連動片５１２ｇが操作部分５１１によって前方から押され前記付勢に抗して補助フック体５１２が上方に向けて回動されるようになっている。そして、この操作部分５１１の操作により補助フック体５１２が移動されると被掛合部２４とフック端５１２ａとの掛合が解かれると共に、前記押し上げ突部５１２ｅによって、フック体５１０が回動体５０１のキャッチ凹部５０１ｄからフック端５１０ａを抜け出させるように、押され持ち上げられるようになっている。
【００６７】
これにより、この実施の形態にあっては、補助フック体５１２のフック端５１２ａを本体２の被掛合部２４に掛合させることにより、蓋体１の閉じ位置にある状態をより安定的に維持させることができる。それと共に、操作部分５１１の操作によりこの補助フック体５１２の掛合とフック体５１０の掛合とを同時に解いて蓋体１を完全開き位置に向けて旋回移動させることができる。
【００６８】
操作部分５１１の押し込みを止めると、補助フック体５１２の軸部５１２ｂは付勢手段５１２ｆの付勢によってフック端５１２ａを掛合位置に位置づける向きに復帰回動されることから、この軸部５１２ｂに設けられた前記連動片５１２ｇに押されて操作部分５１１の押し込み部５１１ａは押し込み前の位置に戻される。なお、図示の例では、操作部分５１１は下蓋体１０の上部側に左右に長いボタン状をなす押し込み部５１１ａを備えていると共に、その右端部において右側の補助フック体５１２の連動片５１２ｇを下蓋体１０の内部において押し、かつ、その左端部において左側の補助フック体５１２の連動片５１２ｇを下蓋体１０の内部において押すように構成されている。
【００６９】
（その他）
この実施の形態にかかるロック機構５によれば、付勢手段３の付勢により完全開き位置に向けて移動するように常時付勢されている一対の蓋体１、１を、その閉じ位置においてはロック位置にある回動体５０１によってこの完全開き位置に向けた移動を生じないように強固に保持して本体２の開口２０に密着させるようにできるので、食洗機や洗濯機などの洗浄空間の開口２０など、水密に塞ぐべき開口２０を塞ぐ蓋体１のロック機構５として用いるのに適している。
【図面の簡単な説明】
【００７０】
【図１】ロック機構５の適用例を示した側面構成図
【図２】図１の要部構成図
【図３】ロック機構５の適用例を示した側面構成図
【図４】図３の要部構成図
【図５】ロック機構５の適用例を示した側面構成図
【図６】図５の要部構成図
【図７】ロック機構５の適用例を示した側面構成図
【図８】図７の要部構成図
【図９】ロック機構５の適用例を示した側面構成図
【図１０】図９の要部構成図
【図１１】ロック機構５の適用例を示した側面構成図
【図１２】図１１の要部構成図
【図１３】ロック機構５の適用例を示した側面構成図
【図１４】図１３の要部構成図
【図１５】ロック機構５の適用例を示した側面構成図
【図１６】図１５の要部構成図
【図１７】受動パーツ５０の分離正面図
【図１８】図１７におけるＡ−Ａ矢視方向から見た回動体５０１の側面図
【図１９】図１７におけるB−B矢視方向から見たベース５００の側面図
【図２０】能動パーツ５１の配置を示した構成図
【図２１】フック体５１０の平面図
【符号の説明】
【００７１】
１  蓋体
２  本体
２０  開口
３  付勢手段
４  リンク手段
５  ロック機構
５０  受動パーツ
５００  ベース
５０１  回動体
５０１ａ  回動軸
５０１ｄ  キャッチ凹部
５０１ｅ  入り口
５０２  引っ張りバネ体
ｘ  中心線
５１  能動パーツ
５１０  フック体
５１０ａ  フック端
５１１  操作部分
５２  復帰用突き当たり部分
【図１】
2006192122.tif 000003
【図２】
2006192122.tif 000004
【図３】
2006192122.tif 000005
【図４】
2006192122.tif 000006
【図５】
2006192122.tif 000007
【図６】
2006192122.tif 000008
【図７】
2006192122.tif 000009
【図８】
2006192122.tif 000010
【図９】
2006192122.tif 000011
【図１０】
2006192122.tif 000012
【図１１】
2006192122.tif 000013
【図１２】
2006192122.tif 000014
【図１３】
2006192122.tif 000015
【図１４】
2006192122.tif 000016
【図１５】
2006192122.tif 000017
【図１６】
2006192122.tif 000018
【図１７】
2006192122.tif 000019
【図１８】
2006192122.tif 000020
【図１９】
2006192122.tif 000021
【図２０】
2006192122.tif 000022
【図２１】
2006192122.tif 000023